(57)【特許請求の範囲】
【請求項１】
２層に重ね合わされた矩形状の胴本体と、
前記胴本体の底縁に沿って形成され、前記胴本体の両層に連続し、前記胴本体の両層間に折り込まれ、２つ折りされ、２層に重ね合わされた底本体と、
前記底本体の両端に形成され、前記底本体の２つ折り線に対し４５°の角度をもって折り返され、前記底本体の両層間に折り込まれ、２つ折りされ、２層に重ね合わされた一対の底ガセット部と、
前記胴本体の両側縁に沿って形成され、前記胴本体の両層に連続し、前記胴本体の底縁の位置において、前記底ガセット部の両層に連続し、前記胴本体の両層間および前記底ガセット部の両層間に折り込まれ、２つ折りされ、２層に重ね合わされた一対の胴ガセット部とからなるプラスチック袋であって、
前記胴本体の底縁と前記胴本体の両側縁間のコーナーにおいて、前記胴本体の両層のうち、片層が前記底本体および胴ガセット部の片層に線接合され、他層が前記底本体および胴ガセット部の他層に線接合され、前記底ガセット部の両層のうち、片層が前記胴ガセット部の片層に線接合され、他層が前記胴ガセット部の他層に線接合され、その各接合線が前記胴本体の底縁と前記胴本体の両側縁を斜めに横切る線上に形成されていることを特徴とするプラスチック袋。
【請求項２】
線接合にあたって、前記胴本体の両層と前記底本体の両層間、前記胴本体の両層と前記胴ガセット部の両層間および前記底ガセット部の両層と前記胴ガセット部の両層間にヒートシールが施され、これによって前記胴本体の両層と前記底本体の両層が線接合され、前記胴本体の両層と前記胴ガセット部の両層が線接合され、前記底ガセット部の両層と前記胴ガセット部の両層が線接合されており、ヒートシール領域によって前記胴本体、底本体、底ガセット部および胴ガセット部の接合線が形成されていることを特徴とする請求項１に記載のプラスチック袋。
【請求項３】
前記接合線は直線または曲線であることを特徴とする請求項１または２に記載のプラスチック袋。
【請求項４】
前記胴本体、底本体、底ガセット部および胴ガセット部がその接合線に沿ってコーナーカットされていることを特徴とする請求項３に記載のプラスチック袋。
【請求項５】
前記胴本体の底縁の位置において、前記胴本体の両層のうち、片層が前記底本体、底ガセット部および胴ガセット部の片層に部分接合され、他層が前記底本体、底ガセット部および胴ガセット部の他層に部分接合され、その接合点が前記胴ガセット部の２つ折り線と前記胴本体、底本体、底ガセット部および胴ガセット部の接合線間に位置することを特徴とする請求項３または４のいずれかに記載のプラスチック袋。
【発明の詳細な説明】
【０００１】
【産業上の利用分野】
この発明は、プラスチック袋に関するものである。
【０００２】
【従来技術とその問題点】
この出願に先立ち、出願人は新しい形式のプラスチック袋を提案した。特開２０００−６２７９５号公報に記載されているものがそれである。同公報のプラスチック袋は胴本体および底本体を有し、胴本体は矩形状のもので、２層に重ね合わされ、底本体は胴本体の底縁に沿って形成され、胴本体の両層に連続する。さらに、その底本体が胴本体の両層間に折り込まれ、２つ折りされ、２層に重ね合わされ、一対の底ガセット部が底本体の両端に形成され、底本体の２つ折り線に対し４５°の角度をもって折り返され、底本体の両層間に折り込まれ、２つ折りされ、２層に重ね合わされる。さらに、同公報のプラスチック袋は一対の胴ガセット部を有し、胴ガセット部は胴本体の両側縁に沿って形成され、胴本体の両層に連続し、胴本体の底縁の位置において、胴ガセット部は底ガセット部の両層に連続する。さらに、その胴ガセット部が胴本体の両層間および底ガセット部の両層間に折り込まれ、２つ折りされ、２層に重ね合わされる。
【０００３】
したがって、同公報のプラスチック袋に食料品などの物品を収容すると、胴ガセット部によって胴本体の両層間が拡げられ、その容量が増大する。さらに、底ガセット部によって底本体の両層が拡げられ、これによってプラスチック袋の底面が形成され、その底面が完全に矩形状をなし、プラスチック袋を安定して直立させることができる。直立させたプラスチック袋が不慮に倒れることはない。
【０００４】
ところで、同公報のプラスチック袋の場合、その底面が完全に矩形状をなし、底面の四隅が強硬に角張る傾向があり、取扱いの便宜上、好ましくないという問題があった。物品の収容後、多数のプラスチック袋をそれぞれ直立させ、適宜整列させ、保管するとき、プラスチック袋の底面によってその所要スペースが増大し、プラスチック袋の整列数が制限され、効率が悪いという問題もある。
【０００５】
【発明の目的】
したがって、この発明は、前記従来の問題を解決し、胴本体、底本体、底ガセット部および胴ガセット部からなるプラスチック袋において、その底面の四隅が強硬に角張らないようにすること、およびプラスチック袋の底面によってその所要スペースが増大しないようにすることを目的としてなされたものである。
【０００６】
【発明の構成】
この発明によれば、特開２０００−６２７９５号公報のものと同様、矩形状の胴本体が２層に重ね合わされ、これに底本体が組み合わされ、底本体は胴本体の底縁に沿って形成され、胴本体の両層に連続し、胴本体の両層間に折り込まれ、２つ折りされ、２層に重ね合わされる。さらに、一対の底ガセット部が底本体の両端に形成され、底本体の２つ折り線に対し４５°の角度をもって折り返され、底本体の両層間に折り込まれ、２つ折りされ、２層に重ね合わされ、一対の胴ガセット部が胴本体の両側縁に沿って形成され、胴本体の両層に連続し、胴本体の底縁の位置において、胴ガセット部は底ガセット部の両層に連続する。さらに、その胴ガセット部が胴本体の両層間および底ガセット部の両層間に折り込まれ、２つ折りされ、２層に重ね合わされる。
【０００７】
さらに、この発明によれば、胴本体の底縁と胴本体の両側縁間のコーナーにおいて、胴本体の両層のうち、片層が底本体および胴ガセット部の片層に線接合され、他層が底本体および胴ガセット部の他層に線接合され、底ガセット部の両層のうち、片層が胴ガセット部の片層に線接合され、他層が胴ガセット部の他層に線接合され、その各接合線が胴本体の底縁と胴本体の両側縁を斜めに横切る線上に形成される。
【０００８】
線接合にあたって、胴本体の両層と底本体の両層間、胴本体の両層と胴ガセット部の両層間および底ガセット部の両層と胴ガセット部の両層間にヒートシールが施され、これによって胴本体の両層と底本体の両層が線接合され、胴本体の両層と胴ガセット部の両層が線接合され、底ガセット部の両層と胴ガセット部の両層が線接合され、ヒートシール領域によって胴本体、底本体、底ガセット部および胴ガセット部の接合線が形成されることが好ましい。
【０００９】
接合線は直線であってもよく、曲線であってもよい。
【００１０】
胴本体、底本体、底ガセット部および胴ガセット部がその接合線に沿ってコーナーカットされることが好ましい。
【００１１】
さらに、胴本体の底縁の位置において、胴本体の両層のうち、片層が底本体、底ガセット部および胴ガセット部の片層に部分接合され、他層が底本体、底ガセット部および胴ガセット部の他層に部分接合され、その接合点が胴ガセット部の２つ折り線と胴本体、底本体、底ガセット部および胴ガセット部の接合線間に位置することが好ましい。
【００１２】
【実施例の説明】
以下、この発明の実施例を説明する。
【００１３】
図１において、これはこの発明にかかるプラスチック袋であり、胴本体１ａ，１ｂおよび底本体２ａ，２ｂを有する。胴本体１ａ，１ｂは矩形状のもので、２層に重ね合わされ、底本体２ａ，２ｂは胴本体の底縁３に沿って形成され、胴本体の両層１ａ，１ｂに連続することは特開２０００−６２７９５号公報のものと同様である。図２に示すように、その底本体２ａ，２ｂが胴本体の両層１ａ，１ｂ間に折り込まれ、２つ折りされ、２層に重ね合わされ、一対の底ガセット部４ａ，４ｂが底本体２ａ，２ｂの両端に形成され、底本体２ａ，２ｂの２つ折り線５に対し４５°の角度をもって折り返され、底本体の両層２ａ，２ｂ間に折り込まれ、２つ折りされ、２層に重ね合わされていることも同公報のものと同様である。したがって、その２つ折り線６は底本体２ａ，２ｂの２つ折り線５に直角にのびる。さらに、底本体２ａ，２ｂの両端に４５°の角度の折り返し線７が形成される。
【００１４】
さらに、このプラスチック袋は一対の胴ガセット部８ａ，８ｂを有し、胴ガセット部８ａ，８ｂは胴本体の両側縁９に沿って形成され、胴本体の両層１ａ，１ｂに連続し、胴本体の底縁３の位置において、胴ガセット部８ａ，８ｂは底ガセット部の両層４ａ，４ｂに連続することも同公報のものと同様である。さらに、その胴ガセット部８ａ，８ｂが胴本体の両層１ａ，１ｂ間および底ガセット部の両層４ａ，４ｂ間に折り込まれ、２つ折りされ、２層に重ね合わされることも同公報のものと同様である。その２つ折り線１０は胴本体１ａ，１ｂの両側縁９に平行にのび、底ガセット部４ａ，４ｂの２つ折り線６に整合する。
【００１５】
このプラスチック袋の胴本体１ａ，１ｂおよび胴ガセット部８ａ，８ｂについては、平坦なプラスチックフィルム材が適宜折り曲げられ、これによって胴本体１ａ，１ｂおよび胴ガセット部８ａ，８ｂが形成され、その両側縁９および２つ折り線１０が形成されている。さらに、そのプラスチックフィルム材が胴本体１ａの長さ方向中心線に沿ってヒートシールされ、そのヒートシール領域１１が胴本体１ａの長さ方向中心線に沿って形成されている。したがって、胴ガセット部の両層８ａ，８ｂが胴本体の両層１ａ，１ｂに連続するものである。これも特開２０００−６２７９５号公報のものと同様である。これに代えて、吹き出し成型によって筒状のプラスチックフィルム材を成型し、そのプラスチックフィルム材を適宜折り曲げ、胴本体１ａ，１ｂおよび胴ガセット部８ａ，８ｂを形成してもよい。
【００１６】
さらに、底本体２ａ，２ｂおよび底ガセット部４ａ，４ｂについては、平坦なプラスチックフィルム材が適宜折り曲げられ、これによって底本体２ａ，２ｂおよび底ガセット部４ａ，４ｂが形成され、その２つ折り線５，６および折り返し線７が形成されている。さらに、底本体２ａ，２ｂおよび底ガセット部４ａ，４ｂが胴本体および胴ガセット部の各層１ａ，１ｂ，８ａ，８ｂ間に挿入され、胴本体の底縁３の位置において、その両層１ａ，１ｂと底本体の両層２ａ，２ｂ間にヒートシールが施され、底ガセット部の両層４ａ，４ｂと胴ガセット部の両層８ａ，８ｂ間にヒートシールが施され、そのヒートシール領域１２が胴本体の底縁３に沿って形成されている。したがって、底本体の両層２ａ，２ｂが胴本体の両層１ａ，１ｂに連続し、胴ガセット部の両層８ａ，８ｂが底ガセット部の両層４ａ，４ｂに連続するものである。これも同公報のものと同様である。
【００１７】
さらに、この実施例では、プラスチックフィルム材として基材とシーラントのラミネートフィルム材が使用されており、胴本体１ａ，１ｂおよび胴ガセット部８ａ，８ｂについては、その外面はナイロンなどの基材からなり、内面はポリエチレン、ポリプロピレンなどのシーラントからなる。反対に、底本体２ａ，２ｂおよび底ガセット部４ａ，４ｂについては、その外面がポリエチレン、ポリプロピレンなどのシーラントからなり、内面はナイロンなどの基材からなる。したがって、底本体２ａ，２ｂおよび底ガセット部４ａ，４ｂの挿入後、胴本体１ａ，１ｂおよび胴ガセット部８ａ，８ｂを一対のヒートシールバー間に挟み、ヒートシールバーによってそれを加熱および加圧すると、胴本体の両層１ａ，１ｂと底本体の両層２ａ，２ｂ間にヒートシールを施し、底ガセット部の両層４ａ，４ｂと胴ガセット部の両層８ａ，８ｂ間にヒートシールを施すことができる。底本体の片層２ａと他層２ｂ間にヒートシールが施されることはなく、底本体の両層２ａ，２ｂと底ガセット部の両層４ａ，４ｂ間にヒートシールが施されることもない。これも同公報のものと同様である。
【００１８】
そして、このプラスチック袋では、胴本体の底縁３と胴本体の両側縁９間のコーナーにおいて、胴本体の両層１ａ，１ｂのうち、片層１ａが底本体および胴ガセット部の片層２ａ，８ａに線接合され、他層１ｂが底本体および胴ガセット部の他層２ｂ，８ｂに線接合されている。さらに、底ガセット部の両層４ａ，４ｂのうち、片層４ａが胴ガセット部の片層８ａに線接合され、他層４ｂが胴ガセット部の他層８ｂに線接合されており、その各接合線１３が胴本体の底縁３と胴本体の両側縁９を斜めに横切る線上に形成されている。
【００１９】
この実施例では、線接合にあたって、胴本体の両層１ａ，１ｂと底本体の両層２ａ，２ｂ間、胴本体の両層１ａ，１ｂと胴ガセット部の両層８ａ，８ｂ間および底ガセット部の両層４ａ，４ｂと胴ガセット部の両層８ａ，８ｂ間にヒートシールが施され、これによって胴本体の両層１ａ，１ｂと底本体の両層２ａ，２ｂが線接合され、胴本体の両層１ａ，１ｂと胴ガセット部の両層８ａ，８ｂが線接合され、底ガセット部の両層４ａ，４ｂと胴ガセット部の両層８ａ，８ｂが線接合されており、ヒートシール領域１４によって胴本体、底本体、底ガセット部および胴ガセット部の接合線１３が形成されている。
【００２０】
ヒートシールを施すには、接合線１３の位置において、プラスチック袋を一対のヒートシールバー間に挟み、ヒートシールバーによってそれを加熱および加圧すればよい。プラスチックフィルム材として基材とシーラントのラミネートフィルム材が使用されていることは前述したとおりであり、加熱および加圧すると、胴本体の両層１ａ，１ｂと底本体の両層２ａ，２ｂ間、胴本体の両層１ａ，１ｂと胴ガセット部の両層８ａ，８ｂ間および底ガセット部の両層４ａ，４ｂと胴ガセット部の両層８ａ，８ｂ間にヒートシールが施されるが、底本体の両層２ａ，２ｂと底ガセット部の両層４ａ，４ｂ間にヒートシールは施されない。
【００２１】
この実施例では、接合線１３は直線からなり、底ガセット部および胴ガセット部の２つ折り線６，１０から一定の間隔を置いて形成され、胴本体の底縁３および胴本体の両側縁９を４５°の角度をもって横切る線上に位置する。
【００２２】
したがって、このプラスチック袋に食料品などの物品を収容すると、胴ガセット部８ａ，８ｂによって胴本体の両層１ａ，１ｂ間が拡げられる。さらに、底ガセット部４ａ，４ｂによって底本体の両層２ａ，２ｂ間が拡げられ、これによってプラスチック袋の底面が形成されるが、接合線１３の位置において、胴本体の両層１ａ，１ｂが底本体および胴ガセット部の両層２ａ，２ａ，８ａ，８ｂに線接合され、底ガセット部の両層４ａ，４ｂが胴ガセット部の両層８ａ，８ｂに線接合されており、底ガセット部４ａ，４ｂおよび底本体２ａ，２ｂが適度に拘束される。この結果、底ガセット部４ａ，４ｂによって底本体の両層２ａ，２ｂ間が拡げられるとき、プラスチック袋の底面の四隅でそれが制限され、底面の四隅が適度に湾曲する。したがって、底面の四隅が強固に角張らず、取扱いの便宜上、好ましい。さらに、底本体の両層２ａ，２ｂ間が拡げられるとき、プラスチック袋の底面の四隅でそれが制限され、これによってプラスチック袋の底面が縮小される。したがって、物品の収容後、多数のプラスチック袋をそれぞれ直立させ、適宜整列させ、保管するとき、プラスチック袋の底面によってその所要スペースが増大せず、各プラスチック袋を緊密に整列させ、その整列数を相当増加することができる。
【００２３】
図３は他の実施例を示す。この実施例では、図２のプラスチック袋において、胴本体１ａ，１ｂ、底本体２ａ，２ｂ、底ガセット部４ａ，４ｂおよび胴ガセット部８ａ，８ｂがその接合線１３に沿ってコーナーカットされている。したがって、このプラスチック袋の場合、それに食料品などの物品が収容され、底ガセット部４ａ，４ｂによって底本体の両層２ａ，２ｂ間が拡げられたとき、図４および図５に示すように、胴本体１ａ，１ｂおよび底本体２ａ，２ｂにおいて、その線接合されている部分が外方に折り曲げられ、底ガセット部４ａ，４ｂおよび胴ガセット部８ａ，８ｂにおいて、その線接合されている部分も外方に折り曲げられる。これによって平坦な底面が形成され、その底面の上側に内方にくびれた部分が形成される。したがって、プラスチック袋に容器状の形状および興趣をもたせることができ、好ましい。底面の四隅が強固に角張らないことは前記実施例のものと同様である。プラスチック袋の底面が縮小され、その所要スペースが減少することも前記実施例のものと同様である。
【００２４】
図６の実施例でも、胴本体の両層１ａ，１ｂが底本体および胴ガセット部の両層２ａ，２ｂ，８ａ，８ｂに線接合され、底ガセット部の両層４ａ，４ｂが胴ガセット部の両層８ａ，８ｂに線接合され、これによってその接合線１３が形成されているが、接合線１３は直線ではなく、曲線からなり、外向きに膨らむ。そして、胴本体１ａ，１ｂ、底本体２ａ，２ｂ、底ガセット部４ａ，４ｂおよび胴ガセット部８ａ，８ｂがその接合線１３に沿ってコーナーカットされている。この場合、図７および図８に示すように、胴本体１ａ，１ｂ、底本体２ａ，２ｂ、底ガセット部４ａ，４ｂおよび胴ガセット部８ａ，８ｂが外方に折り曲げられ、これによって平坦な底面が形成されたとき、その四隅が円滑に湾曲する。これによって独特の興趣をもたせることができ、好ましい。
【００２５】
図９の実施例では、胴本体の底縁３の位置において、胴本体の両層１ａ，１ｂのうち、その片層１ａが底本体、底ガセット部および胴ガセット部の片層２ａ，４ａ，８ａに部分接合され、他層１ｂが底本体、底ガセット部および胴ガセット部の他層２ｂ，４ｂ，８ｂに部分接合されており、その接合点１５が胴ガセット部の２つ折り線１０と胴本体、底本体、底ガセット部および胴ガセット部の接合線１３間に位置する。部分接合するには、接合点１５の位置において、底本体２ａ，２ｂおよび底ガセット部４ａ，４ｂに所定径の透孔を形成し、その部分を一対のヒートシールバー間に挟み、ヒートシールバーによってそれを加熱および加圧すると、胴本体の両層１ａ，１ｂと胴ガセット部８ａ，８ｂ間にヒートシールが施され、これによって胴本体、底本体、底ガセット部および胴ガセット部を部分接合することができる。このプラスチック袋の場合、底ガセット部４ａ，４ｂによって底本体の両層２ａ，２ｂ間が拡げられるとき、接合点１５によってそれが制限され、プラスチック袋の底面が大幅に縮小される。
【００２６】
各実施例において、胴本体の底縁３の位置でヒートシールを施し、ヒートシール領域１２を形成するとき、それと同時に、胴本体の底縁３と胴本体の両側縁９間のコーナーでヒートシールを施し、ヒートシール領域１４によって胴本体、底本体、底ガセット部および胴ガセット部の接合線１３を形成することも可能である。図１０に示すように、一連のヒートシール領域１６を胴本体の底縁３および両側縁９に沿って形成し、そのヒートシール領域１６に所定の形状をもたせ、これによって胴本体、底本体、底ガセット部および胴ガセット部の接合線１３を形成してもよい。
【００２７】
【発明の効果】
以上説明したように、この発明によれば、底ガセット部４ａ，４ｂによって底本体の両層２ａ，２ｂ間が拡げられるとき、プラスチック袋の底面の四隅でそれが制限され、底面の四隅が適度に湾曲し、強固に角張らず、取扱いの便宜上、好ましい。さらに、底本体の両層２ａ，２ｂ間が拡げられるとき、プラスチック袋の底面の四隅でそれが制限され、これによってプラスチック袋の底面が縮小される。したがって、物品の収容後、多数のプラスチック袋をそれぞれ直立させ、適宜整列させ、保管するとき、プラスチック袋の底面によってその所要スペースが増大せず、各プラスチック袋を緊密に整列させ、その整列数を相当増加することができ、初期の目的を達成することができるものである。
【図面の簡単な説明】
【図１】この発明の実施例を示す側面図である。
【図２】図１のプラスチック袋の斜視図である。
【図３】他の実施例を示す斜視図である。
【図４】図３のプラスチック袋を拡げ、直立させた状態を示す斜視図である。
【図５】図４のプラスチック袋の底面図である。
【図６】他の実施例を示す斜視図である。
【図７】図６のプラスチック袋を拡げ、直立させた状態を示す斜視図である。
【図８】図７のプラスチック袋の底面図である。
【図９】他の実施例を示す側面図である。
【図１０】他の実施例を示す側面図である。
【符号の説明】
１ａ，１ｂ  胴本体
２ａ，２ｂ  底本体
３  底縁
４ａ，４ｂ  底ガセット部
８ａ，８ｂ  胴ガセット部
９  両側縁
１３  接合線
１４，１６  ヒートシール領域
１５  接合点
【図１】
0003585424.tif 000002
【図２】
0003585424.tif 000003
【図３】
0003585424.tif 000004
【図４】
0003585424.tif 000005
【図５】
0003585424.tif 000006
【図６】
0003585424.tif 000007
【図７】
0003585424.tif 000008
【図８】
0003585424.tif 000009
【図９】
0003585424.tif 000010
【図１０】
0003585424.tif 000011